(57)【要約】【課題】マルチディスプレイシステムにおけるディスプレイ装置の各々を独立に調整するか、あるいは全てのディスプレイ装置を一括して調整するかのいずれかの単位ではなく、ディスプレイシステムにおけるディスプレイ装置の任意の組合わせ毎に、複数のディスプレイ装置が組み合わせられた組合わせ毎に（操作グループ単位の）ディスプレイ装置に対して一括して画面表示の調整を行うマルチディスプレイシステムを提供する。【解決手段】本発明のマルチディスプレイシステムは、複数のディスプレイ装置の組合わせを操作グループとし、操作グループ単位毎に、この操作グループにおけるディスプレイ装置のいずれかに対して画面表示の調整値を設定し、操作グループにおける他のディスプレイ装置全てに調整値を複製し、操作グループの画面表示の調整を一括して行うことを特徴とする。【選択図】図１
2018194625.tif 000002
【特許請求の範囲】
【請求項１】
複数のディスプレイ装置の組合わせを操作グループとし、
前記操作グループ単位毎に、当該操作グループにおけるディスプレイ装置のいずれかに対して画面表示の調整値を設定し、前記操作グループにおける他のディスプレイ装置全てに前記調整値を複製し、前記操作グループの前記画面表示の調整を一括して行う
ことを特徴とするマルチディスプレイシステム。
【請求項２】
前記操作グループにおけるディスプレイ装置のいずれかを基準ディスプレイ装置とし、当該基準ディスプレイ装置の調整値を前記操作グループにおける全ての調整に用いる
ことを特徴とする請求項１に記載のマルチディスプレイシステム。
【請求項３】
マルチディスプレイシステムを構成するディスプレイ装置のいずれかをマスターディスプレイ装置とし、前記マルチディスプレイシステムの他のディスプレイ装置をスレーブディスプレイ装置とし、
前記マスターディスプレイ装置が、前記操作グループの各々の前記基準ディスプレイ装置から前記調整値を読み込み、前記操作グループそれぞれにおける前記基準ディスプレイ装置以外のディスプレイ装置の調整を行う
ことを特徴とする請求項２に記載のマルチディスプレイシステム。
【請求項４】
前記マスターディスプレイ装置が自身を含む前記ディスプレイ装置による複数の種類の前記操作グループの組合わせのテンプレートを表示し、選択された前記テンプレートに対応させ、前記ディスプレイ装置の前記表示画面を組み合わせた前記操作グループとする
ことを特徴とする請求項３に記載のマルチディスプレイシステム。
【請求項５】
複数のディスプレイ装置の表示画面の組合わせを操作グループとし、
前記操作グループ単位毎に、当該操作グループにおけるディスプレイ装置のいずれかに対して画面表示の調整値を設定し、前記操作グループにおける他のディスプレイ装置全てに前記調整値を複製し、前記操作グループの前記画面表示の前記画面表示の調整を一括して行う
ことを特徴とするマルチディスプレイ表示方法。
【請求項６】
マスターディスプレイ装置として選択された場合、マルチディスプレイシステムにおける表示画面を組み合わせて構成される操作グループの各々に対し、当該操作グループにおける基準ディスプレイ装置として選択されたディスプレイ装置に対して画面表示の調整値が設定された際、前記操作グループにおける他のディスプレイ装置全てに前記調整値を複製し、前記操作グループの前記画面表示の前記画面表示の調整を一括して行う
ことを特徴とするディスプレイ装置。
【発明の詳細な説明】
【技術分野】
【０００１】
本発明は、マルチディスプレイシステム、マルチディスプレイ表示方法及びディスプレイ装置に関する。
【背景技術】
【０００２】
マルチディスプレイシステムは、複数のディスプレイ装置を用いて、外部装置から供給される画像データをこれらディスプレイに表示する。
そして、マルチディスプレイシステムは、複数のディスプレイ装置を用いて、集合して１つの画面の如く隣接して設けられ、受信した画像データを複数のディスプレイ装置を用いて大画面を構成して表示する（例えば、特許文献１参照）。
【０００３】
しかし、マルチディスプレイシステムを構成するディスプレイ装置の数が増加するに従い、各ディスプレイ装置の画面表示の調整作業を、それぞれ別々に行う場合、全てのディスプレイ装置の各々の画面表示の調整項目を同じ数値とする調整を行うために多くの手間がかかることになる。
このため、特許文献１においては、ディスプレイ装置の各々にスレーブ制御部を設け、マスタ制御部から、各ディスプレイ装置のスレーブ制御部に対し、画面表示の調整の制御信号を出力し、複数のディスプレイ装置が組み合わせられた組合わせ毎に（操作グループ単位の）一括して画面表示の調整を行っている。
【先行技術文献】
【特許文献】
【０００４】
【特許文献１】特開２００１−２７５１３７号公報
【発明の概要】
【発明が解決しようとする課題】
【０００５】
上述した特許文献１は、マルチディスプレイシステムにおけるディスプレイ装置の各々に対してＩＤ（identification）を付与し、ＩＤ単位のディスプレイ装置もしくはディスプレイ装置全ての設定を行っている。
しかしながら、特許文献１は、マルチディスプレイシステムのディスプレイ装置の各々をＩＤ単位としてそれぞれ独立に調整するか、あるいはマルチディスプレイシステムにおける全てのディスプレイ装置を一括して調整するかのいずれかの単位でしか画面表示の調整を行うことができない。
【０００６】
本発明は、上記課題であるマルチディスプレイシステムのディスプレイ装置の各々を独立あるいはマルチディスプレイシステムにおける全てのディスプレイ装置を一括して調整するのではなく、ディスプレイ装置の任意の組合わせ毎に画面表示の調整を行うマルチディスプレイシステム及びマルチディスプレイ表示方法を提供する。
【課題を解決するための手段】
【０００７】
上述した課題を解決するために、本発明のマルチディスプレイシステムは、複数のディスプレイ装置の組合わせを操作グループとし、前記操作グループ単位毎に、当該操作グループにおけるディスプレイ装置のいずれかに対して画面表示の調整値を設定し、前記操作グループにおける他のディスプレイ装置全てに前記調整値を複製し、前記操作グループの前記画面表示の調整を一括して行うことを特徴とする。
【０００８】
本発明のマルチディスプレイ表示方法は、複数のディスプレイ装置の表示画面の組合わせを操作グループとし、前記操作グループ単位毎に、当該操作グループにおけるディスプレイ装置のいずれかに対して画面表示の調整値を設定し、前記操作グループにおける他のディスプレイ装置全てに前記調整値を複製し、前記操作グループの前記画面表示の前記画面表示の調整を一括して行うことを特徴とする。
【０００９】
本発明のディスプレイ装置は、マスターディスプレイ装置として選択された場合、マルチディスプレイシステムにおける表示画面を組み合わせて構成される操作グループの各々に対し、当該操作グループにおける基準ディスプレイ装置として選択されたディスプレイ装置に対して画面表示の調整値が設定された際、前記操作グループにおける他のディスプレイ装置全てに前記調整値を複製し、前記操作グループの前記画面表示の前記画面表示の調整を一括して行うことを特徴とする。
【発明の効果】
【００１０】
以上説明したように、本発明によれば、複数のディスプレイ装置の組合わせを操作グループとして、異なる大きさの表示画面を構成し、組合わせ毎におけるディスプレイ装置の各々の表示画面の調整を、操作グループのディスプレイ装置全てに対して一括して行うことにより、従来のように、ディスプレイ装置の各々を独立に調整するか、あるいはマルチディスプレイシステムにおける全てのディスプレイ装置を一括して調整するかのいずれかの単位ではなく、ディスプレイシステムにおけるディスプレイ装置の任意の組合わせ（後述する操作グループ構成における操作グループ）毎に画像表示の調整（画面調整）を行うことが可能となる。
【図面の簡単な説明】
【００１１】
【図１】本発明の一実施形態によるマルチディスプレイシステム１の構成例を示すブロック図である。
【図２】マルチディスプレイ１を構成するディスプレイ装置の各々の構成例を示すブロック図である。
【図３】本発明の一実施形態によるマルチディスプレイシステム１におけるディスプレイ装置の各々の画面表示の調整の動作例を示すフローチャートである。
【図４】水平画面数と垂直画面数との入力操作におけるマスターディスプレイ装置の表示画面の表示例である。
【図５】マルチディスプレイシステム１の表示画面の操作グループのテンプレートの表示例を示す図である。
【図６】表示画面に表示されている操作グループの各々のテンプレートから、ユーザがいずれかのテンプレートを選択する処理を説明する図である。
【図７】制御部１０４が選択された操作グループに対応して生成する操作グループテーブルの構成例を示す図である。
【図８】操作グループのディスプレイ装置のなかから基準ディスプレイ装置を選択する画像を示す図である。
【図９】操作グループにおいてユーザが基準ディスプレイ装置として選択したディスプレイ装置を示す表示画像の表示例である。
【図１０】本発明の実施形態の概念を説明する図である。
【発明を実施するための形態】
【００１２】
以下、本発明の一実施形態について、図面を参照して説明する。
図１は、本発明の一実施形態によるマルチディスプレイシステム１の構成例を示すブロック図である。図１において、本実施形態においては、マルチディスプレイシステム１が、例えば、ディスプレイ装置２０１からディスプレイ装置２０９までの９個のディスプレイ装置の各々を、それぞれの表示画面が３×３のマトリクス形状に配置された構成例として示されている。
【００１３】
ディスプレイ装置２０１からディスプレイ装置２０９の各々は、直列にＬＡＮケーブルにより直列に接続されている。すなわち、ディスプレイ装置２０１とディスプレイ装置２０２とは、ＬＡＮケーブル２２１により接続されている。ディスプレイ装置２０２とディスプレイ装置２０３とは、ＬＡＮケーブル２２２により接続されている。ディスプレイ装置２０３とディスプレイ装置２０４とは、ＬＡＮケーブル２２３により接続されている。ディスプレイ装置２０４とディスプレイ装置２０５とは、ＬＡＮケーブル２２４により接続されている。ディスプレイ装置２０５とディスプレイ装置２０６とは、ＬＡＮケーブル２２５により接続されている。ディスプレイ装置２０６とディスプレイ装置２０７とは、ＬＡＮケーブル２２６により接続されている。ディスプレイ装置２０７とディスプレイ装置２０８とは、ＬＡＮケーブル２２７により接続されている。ディスプレイ装置２０８とディスプレイ装置２０９とは、ＬＡＮケーブル２２８により接続されている。本実施形態のマルチディスプレイシステム１においては、ディスプレイ装置２０１、２０２、２０３、２０４、２０５、２０６、２０７、２０８、２０９の順番で、ＬＡＮケーブルにより連結されている。
【００１４】
図２は、マルチディスプレイシステム１を構成するディスプレイ装置の各々の構成例を示すブロック図である。マルチディスプレイシステム１を構成するディスプレイ装置の各々は、同一の構成である。例えば、図２はディスプレイ装置２０１の構成を示している。
図２において、ディスプレイ装置２１０は、通信端子１０１、通信端子１０２、通信処理部１０３、制御部１０４、保存部１０５及び表示部１０６の各々を備えている。
【００１５】
通信端子１０１は、マルチディスプレイシステム１において、直列に接続されている前段のディスプレイ装置の出力端子とＬＡＮケーブルにより接続される入力端子である。
通信端子１０２は、マルチディスプレイシステム１において、直列に接続されている後段のディスプレイ装置とＬＡＮケーブルにより接続される出力端子である。
通信処理部１０３は、通信端子１０１から入力されるデータを制御部１０４に対して出力し、制御部１０４から入力されるデータを通信端子１０２から出力するなどの処理を行う。
【００１６】
制御部１０４は、前段のディスプレイ装置から入力される自身に対する画面表示の調整値を保存部１０５に対して書き込んで記憶させる。また、制御部１０４は、前段のディスプレイ装置から入力される画面表示の調整値を、通信処理部１０３及び通信端子１０２を介し、次段のディスプレイ装置に対して出力する。ここで、画面表示の調整値は、例えば、画面に表示される画像のコントラスト、明るさ、ホワイトバランス、色調整などの調整を行う数値である。
保存部１０５には、ディスプレイ装置を識別する識別情報であるディスプレイ装置識別情報が予め書き込まれて記憶されている。また、保存部１０５には、ディスプレイ装置の画面表示の調整を行うための調整値が書き込まれて記憶される。
表示部１０６は、制御部１０４から供給される画像データを、保存部１０５に設定された調整値に対応させ、表示画面に表示するディスプレイパネルである。
【００１７】
また、制御部１０４は、通信端子１０１が前段のディスプレイ装置にＬＡＮケーブルを介して接続されているか否かの判定を行う。このとき、制御部１０４は、通信端子１０１及び通信端子１０２を介して接続されている他のディスプレイ装置の制御部１０４それぞれに対し、ディスプレイ装置識別情報を問い合わせる。そして、制御部１０４は、前段からディスプレイ装置識別情報が得られない場合、自身が直列に接続されたディスプレイ装置の起点に位置していると判定し、マスターディスプレイ装置の制御部として、他のディスプレイ装置をスレーブディスプレイ装置として制御する動作を行う。
【００１８】
一方、制御部１０４は、後段からディスプレイ装置識別情報が得られない場合、自身が直列に接続されたディスプレイ装置の終点に位置していると判定し、自身のディプレイ装置識別情報を保存部１０５から読み出す。そして、前段のマスターディスプレイ装置に対して、自身のディスプレイ装置識別情報を、順番に後段から入力されるディスプレイ装置識別情報に追加し、前段のディスプレイ装置に出力することを示す制御信号に付加し、前段のディスプレイ装置に対して出力する。例えば、ディスプレイ装置２０３の制御部１０４は、ディスプレイ装置２０４からディスプレイ装置２０９の各々の連結されたディスプレイ装置識別情報群の先頭に、自身のディスプレイ装置２０３のディスプレイ装置識別情報を付加し、ディスプレイ装置２０３からディスプレイ装置２０９の各々の連結されたディスプレイ装置識別情報群として、前段のディスプレイ装置２０２に対して出力する。
【００１９】
また、マスターディスプレイ装置であるディスプレイ装置２０１において、制御部１０４は、３×３に配置されたディスプレイ装置の各々のディスプレイ装置識別情報を得る。すなわち、ディスプレイ装置２０１の制御部１０４は、ディスプレイ装置の３×３の配列における配置位置と、この配置位置におけるディスプレイ装置識別情報との対応関係を保存部１０５に対して書き込んで記憶させる。
【００２０】
図３は、本発明の一実施形態によるマルチディスプレイシステム１におけるディスプレイ装置の各々の画面表示の調整の動作例を示すフローチャートである。以下の説明において、マルチディスプレイシステム１が、図１のように、ディスプレイ装置２０１からディスプレイ装置１０９の各々の表示画面を、３×３のマトリクス形状に配置した配置構成を前提に説明する。また、マスターディスプレイ装置は、ディスプレイ装置２０１であり、ディスプレイ装置２０１の保存部１０５に、ディスプレイ装置の３×３の配列における配置位置と、この配置位置におけるディスプレイ装置識別情報との対応関係を示す対応テーブル（不図示）が書き込まれて記憶されている。
【００２１】
ステップＳ１：ユーザは、ディスプレイ装置２０１に対して、ディスプレイ装置２０１からディスプレイ装置２０９の各々の表示画面の組合わせ（以下、操作グループと示す）を設定する。このとき、ユーザは、自身が接続して配置構成した、マルチディスプレイシステム１のディスプレイ装置の表示画面のマトリクスにおける縦方向のディスプレイ装置の表示画面の数（水平画面数）と、横方向のディスプレイ装置の表示画面の数（垂直画面数）との各々を、ディスプレイ装置２０１に対して、所定の入力手段（不図示）により入力する。
【００２２】
図４は、水平画面数と垂直画面数との入力操作におけるマスターディスプレイ装置の表示画面の表示例である。ディスプレイ装置２０１の表示部１０６の表示画面２０１Ｓには、制御部１０４が、ユーザが入力した水平画面数を表示領域５０１に表示し、垂直表示画面数を表示領域５０２に表示する。
そして、制御部１０４は、表示部１０６の表示画面２０１Ｓの表示領域５０３に対し、「決定」及び「戻る」の各々のボタンを表示する。
ユーザが「決定」のボタンをマウスによりクリックすると、制御部１０４は、マルチディスプレイシステム１の配置構成が、３×３の配置構成であると認識する。一方、ユーザが「戻る」のボタンをマウスによりクリックすると、制御部１０４は、水平画面数及び垂直画面数の各々の入力画面に戻し、ユーザに対して水平画面数及び垂直画面数の各々の入力を促す。
【００２３】
そして、ディスプレイ装置２０１の制御部１０４は、水平画面数及び垂直画面数の各々が決定されると、マルチディスプレイシステム１のディスプレイ装置の表示画面の操作グループのテンプレートを、表示部１０６に表示する。
【００２４】
図５は、マルチディスプレイシステム１の表示画面の操作グループのテンプレートの表示例を示す図である。マルチディスプレイシステム１が３×３の表示画面のマトリクスで構成されている場合、表示画面の組合わせとしては、例えば、操作グループ構成３０１、３０２、３０３、３０４、３０５及び３０６の各々がある。操作グループ構成は、異なる大きさの表示画面を構成するため、ディスプレイ装置の表示画面を組合わせて用いる操作グループの構成である。
例えば、操作グループ構成３０１は、１個の操作グループＡにより構成されている。ここで、操作グループＡは、ディスプレイ装置２０１からディスプレイ装置２０９の各々から構成されている。
【００２５】
操作グループ構成３０２は、２個の操作グループＡ及び操作グループＢにより構成されている。ここで、操作グループＡは、ディスプレイ装置２０１、２０２、２０５、２０６、２０７及び２０８の各々から構成されている。また、操作グループＢは、ディスプレイ装置２０３、２０４及び２０９の各々から構成されている。
操作グループ構成３０３は、２個の操作グループＡ及び操作グループＢにより構成されている。ここで、操作グループＡは、ディスプレイ装置２０１、２０６及び２０７から構成されている。操作部ループＢは、ディスプレイ装置２０３、２０４、２０５、２０８及び２０９の各々から構成されている。
【００２６】
操作グループ構成３０４は、４個の操作グループＡ、操作グループＢ、操作グループＣ及び操作グループＤにより構成されている。ここで、操作グループＡは、ディスプレイ装置２０１、２０２、２０６及び２０５から構成されている。操作部ループＢは、ディスプレイ装置２０３及び２０４の各々から構成されている。操作グループＣは、ディスプレイ装置２０７及び２０８から構成されている。操作部ループＤは、ディスプレイ装置２０９から構成されている。
【００２７】
操作グループ構成３０５は、４個の操作グループＡ、操作グループＢ、操作グループＣ及び操作グループＤにより構成されている。ここで、操作グループＡは、ディスプレイ装置２０１及び２０６から構成されている。操作部ループＢは、ディスプレイ装置２０２、２０３、２０４及び２０５の各々から構成されている。操作グループＣは、ディスプレイ装置２０７から構成されている。操作部ループＤは、ディスプレイ装置２０８及び２０９から構成されている。
【００２８】
操作グループ構成３０６は、９個の操作グループＡ、操作グループＢ、操作グループＣ、操作グループＤ、操作グループＥ、操作グループＦ、操作グループＧ、操作グループＨ及び操作グループＩにより構成されている。ここで、操作グループＡ、操作グループＢ、操作グループＣ、操作グループＤ、操作グループＥ、操作グループＦ、操作グループＧ、操作グループＨ及び操作グループＩの各々は、それぞれディスプレイ装置２０１、２０２、２０３、２０４、２０５、２０６、２０７、２０８、２０９で構成されている。すなわち、この操作グループ構成３０６は、マルチディスプレイシステム１を構成するディスプレイ装置の各々を、それぞれ独立して使用する構成である。
【００２９】
ディスプレイ装置２０１の制御部１０４は、図５に示す３×３のディスプレイ装置の表示画面のマトリクスにおける表示画面の組合わせである操作グループの各々のテンプレートを生成し、保存部１０５に格納する。そして、ディスプレイ装置２０１の制御部１０４は、図５に示す操作グループ構成のテンプレートを、表示部１０６の表示画面に表示させる。
そして、ユーザがディスプレイ装置２０１の表示部１０６の表示画面に表示される操作グループ構成の各々のテンプレートから、自身の使用する操作グループ構成をマウスによりクリックするなどして選択する。
【００３０】
図６は、表示画面に表示されている操作グループ構成の各々のテンプレートから、ユーザがいずれかのテンプレートを選択する処理を説明する図である。図６において、ユーザがディスプレイ装置２０１の表示部１０６の表示画面２０１Ｓに表示されている操作グループの各々のテンプレートから、自身の使用する操作グループ構成３０２をマウスによりクリックする。これにより、ディスプレイ装置２０１の制御部１０４は、表示画面２０１Ｓに表示されている操作グループ構成３０２を囲む枠３５０を表示し、ユーザに対して操作グループ構成３０２が選択されたことを通知する。
【００３１】
これにより、ディスプレイ装置２０１の制御部１０４は、選択された操作グループ構成３０２に対応する操作グループテーブルを生成する。
図７は、制御部１０４が選択された操作グループに対応して生成する操作グループテーブルの構成例を示す図である。この操作グループテーブルは、例えばディスプレイ装置２０１の保存部１０５の所定の記憶領域に生成される。図７においては、操作グループ構成３０２が選択された場合について説明する。操作グループテーブルは、レコード毎にグループ識別情報、ディスプレイ装置識別情報及び基準ディスプレイ装置識別情報の各々の欄が設けられている。グループ識別情報は、選択された操作グループ構成における操作グループを識別する識別情報である。
【００３２】
以下の説明において、対応を判り易くするため、操作グループ及びディスプレイ装置の符号を、それぞれの識別情報として説明する。図７においては、操作グループ構成３０２が選択されたため、操作グループＡ及びＢの各々のグループ識別情報Ａ、Ｂそれぞれが各レコードの欄に示されている。デスプレイ装置識別情報は、操作グループに含まれるディスプレイ装置の各々を識別する識別情報である。図７においては、操作グループ構成３０２が選択されたため、操作グループＡのレコードにおけるデスプレイ装置識別情報として、ディスプレイ装置２０１、２０２、２０５、２０６、２０７及び２０８のディスプレイ装置識別情報２０１Ｉ、２０２Ｉ、２０５Ｉ、２０６Ｉ、２０７Ｉ、２０８Ｉが示されている。また、操作グループＢのレコードにおけるデスプレイ装置識別情報として、ディスプレイ装置２０３、２０４及び２０９のディスプレイ装置識別情報２０３Ｉ、２０４Ｉ、２０９Ｉが示されている。
【００３３】
基準ディスプレイ装置識別情報は、基準ディスプレイ装置として選択されたディスプレイ装置のディスプレイ装置識別情報を示している。このステップＳ１の段階において、基準ディスプレイ装置が選択されていないため、基準ディスプレイ装置識別情報の欄は記載されていない。この基準ディスプレイ装置は、操作グループにおける全てのディスプレイ装置の画面表示に用いられる調整値が設定される、操作グループを構成するディスプレイ装置から選択されたディスプレイ装置である。
【００３４】
ステップＳ２：ディスプレイ装置２０１の制御部１０４は、マルチディスプレイシステム１のディスプレイ装置のマトリクスと、このマトリクスにおけるディスプレイ装置の操作グループを示す図を、表示画面２０１Ｓに対して表示する。また、ディスプレイ装置２０１の制御部１０４は、この図において各操作グループにおける基準ディスプレイ装置を選択することを促す表示を行う。
図８は、操作グループのディスプレイ装置のなかから基準ディスプレイ装置を選択する画像を示す図である。操作グループ構成３０２が選択されているため、表示画面マトリクスにおいて、操作グループＡを構成するディスプレイ装置２０１、２０２、２０５、２０６、２０７及び２０７の各々を示す画像２０１Ｉ、２０２Ｉ、２０５Ｉ、２０６Ｉ、２０７Ｉ、２０７Ｉそれぞれが枠ＡＬで囲まれ、操作グループＢを構成するディスプレイ装置２０３、２０４及び２０９の各々を示す画像２０３Ｉ、２０４Ｉ、２０９Ｉそれぞれが枠ＢＬで囲まれている。
【００３５】
ユーザは、ディスプレイ装置２０１の表示部１０６の表示画面２０１Ｓに表示されている図８に示す表示画像において、操作グループＡ及びＢの各々におけるディスプレイ装置から、基準ディスプレイ装置をマウスでクリックするなどの操作により選択する。
これにより、ディスプレイ装置２０１の制御部１０４は、操作グループにおいてユーザが基準ディスプレイ装置として選択したディスプレイ装置を示す表示画像を、表示画面２０１Ｓに表示する。
【００３６】
図９は、操作グループにおいてユーザが基準ディスプレイ装置として選択したディスプレイ装置を示す表示画像の表示例である。図９においては、ユーザが操作グループＡにおいて、基準ディスプレイ装置としてディスプレイ装置２０２を選択した場合を示している。ディスプレイ装置２０１の表示部１０６の表示画面２０１Ｓには、制御部１０４が、ユーザが基準ディスプレイ装置を選択した操作グループを構成するディスプレイ装置の数を示す「ディスプレイ装置構成：６」が表示領域５１１に表示する。また、制御部１０４は、ユーザが基準ディスプレイ装置を選択した操作グループを示す「グループ識別情報：ＡＩ」を表示領域５１２に表示する。制御部１０４は、ユーザが基準ディスプレイ装置として選択したディスプレイ装置を示す「基準ディスプレイ装置識別情報：２０２Ｉ」を表示領域５１３に示す。
【００３７】
そして、制御部１０４は、表示部１０６の表示画面２０１Ｓの表示領域５１４に対し、「決定」及び「戻る」の各々のボタンを表示する。
ユーザが「決定」のボタンをマウスによりクリックすると、制御部１０４は、操作グループにおける基準ディスプレイ装置として選択されたディスプレイ装置を決定する。そして、制御部１０４は、保存部１０５の操作グループテーブルにおけるユーザが選択した操作グループの基準ディスプレイ装置識別情報に、基準ディスプレイ装置として選択したディスプレイ装置のディスプレイ装置識別情報を書き込んで記憶させる。
一方、ユーザが「戻る」のボタンをマウスによりクリックすると、制御部１０４は、操作グループにおけるディスプレイ装置から基準ディスプレイ装置を選択する図８の表示画面に戻し、ユーザに対して操作グループにおけるディスプレイ装置からの基準ディスプレイ装置の選択を促す。
【００３８】
ステップＳ３：ディスプレイ装置２０１の制御部１０４は、保存部１０５の操作グループテーブルにおける全ての操作グループに対する基準ディスプレイ装置の選択が終了したか否かの判定を行う。ことのとき、制御部１０４は、操作グループテーブルにおける全ての操作グループに対する基準ディスプレイ装置の選択が終了した場合、処理をステップＳ４へ進める。一方、制御部１０４は、操作グループテーブルにおける全ての操作グループに対する基準ディスプレイ装置の選択が終了していない場合、操作グループテーブルの次のレコードにおける操作グループの基準ディスプレイ装置の選択をユーザに行わせるため、処理をステップＳ２へ戻す。
【００３９】
ステップＳ４：ユーザは、基準ディスプレイ装置として選択されたディスプレイ装置に対して、面表示像の調整値を入力する。操作グループＡの場合、基準ディスプレイ装置としてディスプレイ装置２０２が選択されているため、ユーザがディスプレイ装置２０２に対して画面表示の調整値を入力する。これにより、ディスプレイ装置２０２の制御部１０４は、入力された調整値を、ディスプレイ装置２０２の保存部１０５に書き込んで設定する。このとき、ディスプレイ装置２０２の制御部１０４は、入力された調整値により、表示部１０６に対して画面表示の調整を行わせる。
【００４０】
ステップＳ５：ディスプレイ装置２０１の制御部１０４は、操作グループテーブルの全ての操作グループにおける基準ディスプレイ装置として選択された保存部１０５の調整値が入力されたか否かの判定を行う。そして、ディスプレイ装置２０１の制御部１０４は、操作グループテーブルの全ての操作グループにおける基準ディスプレイ装置の調整値が入力された場合、処理をステップＳ６へ進める。一方、ディスプレイ装置２０１の制御部１０４は、操作グループテーブルの全ての操作グループにおける基準ディスプレイ装置の調整値が入力されていない場合、操作グループテーブルの調整値が入力されていないとされた操作グループにおける基準ディスプレイ装置に対する調整値の入力を促す通知を行うとともに、処理をステップＳ４へ戻す。
【００４１】
ステップＳ６：ディスプレイ装置２０１の制御部１０４は、保存部１０５の操作グループテーブルにおけるグループ識別情報の記載された順番に、レコードに記載された基準ディスプレイ装置識別情報を読み出す。そして、ディスプレイ装置２０１の制御部１０４は、読み出した基準ディスプレイ装置識別情報と同一のディスプレイ装置識別情報の示すディスプレイ装置（基準ディスプレイ装置）の保存部１０５から調整値を読み出す。ディスプレイ装置２０１の制御部１０４は、基準ディスプレイ装置の保存部１０５から読み出した調整値を、この基準ディスプレイ装置と同一の操作グループ内の他のディスプレイ装置に対して供給する。他のディスプレイ装置の制御部１０４は、供給された調整値を保存部１０５に対して書き込む設定する。すなわち、ディスプレイ装置２０１の制御部１０４は、基準ディスプレイ装置の保存部１０５に設定された調整値を、この基準ディスプレイ装置と同一の操作グループ内の他のディスプレイ装置の保存部１０５に対して複製（コピー）する処理を行う。
【００４２】
例えば、図７に示す操作グループテーブルにおいて、ディスプレイ装置２０１の制御部１０４は、グループ識別情報ＡＩの示す操作グループＡの基準ディスプレイ装置識別情報が２０２Ｉであるため、ディスプレイ装置識別情報２０２Ｉの示すディスプレイ装置２０２の保存部１０５から調整値を読み出す。ディスプレイ装置２０１の制御部１０４は、読み出した基準ディスプレイ装置の調整値を、ディスプレイ装置２０２以外のディスプレイ装置２０１、２０５、２０６、２０７及び２０８に対して供給する。ディスプレイ装置２０１、２０５、２０６、２０７及び２０８の各々の制御部１０４は、それぞれの保存部１０５に対して供給された調整値を書き込んで設定する。
【００４３】
また、ディスプレイ装置２０１の制御部１０４は、図７に示す操作グループテーブルにおけるグループ識別情報ＢＩの示す操作グループＢに対しても、上述した操作グループＡに対してと同様に、基準ディスプレイ装置であるディスプレイ装置２０４の保存部１０５から調整値を読み出し、操作部ループＢの他のディスプレイ装置２０３及び２０４の各々に対して読み出した調整値の供給を行う。
【００４４】
上述したように、本実施形態においては、マルチディスプレイシステム１におけるディスプレイ装置の各々を、操作グループ構成に対応して操作グループとされたディスプレイ装置において、操作グループにおけるディスプレイ装置のいずれかを基準ディスプレイ装置とし、この基準ディスプレイ装置の画面表示を調整するために設定された調整値（変更された調整値）を、操作グループの他のディスプレイ装置に対して供給する。これにより、本実施形態によれば、マルチディスプレイシステム１におけるディスプレイ装置単体、あるいは全てのディスプレイ装置を一括する画面表示の調整だけでなく、マルチディスプレイシステムにおけるディスプレイ装置の組合わせによる操作グループ構成の変化に対応して、それぞれの操作グループ単位での画面表示の調整が行うことが可能となり、ユーザのマルチディスプレイシステム１における画面表示の調整に対する操作性が向上する。
【００４５】
図１０は、本発明の実施形態の概念を説明する図である。図１０において、本発明の実施形態におけるマルチディスプレイシステム１は、ディスプレイ装置２０１〜２１２の各々から構成されている。また、操作グループＡは、ディスプレイ装置２０１〜２０３、２０６〜２１１の９個のディスプレイ装置の組合わせである。操作部ループＢは、ディスプレイ装置２０４、２０５及び２１２の３個のディスプレイ装置の組合わせである。操作部ループＣは、ディスプレイ装置２１３〜２１６の４個のディスプレイ装置の組合わせである。操作グループＡ、操作グループＢ及び操作グループＣの各々の基準ディスプレイ装置は、それぞれディスプレイ装置２０７、ディスプレイ装置２１２、ディスプレイ装置２１４である。
【００４６】
操作グループＡにおいて、ディスプレイ装置２０７に対して画面表示の調整値を設定することにより、ディスプレイ装置２０１〜２０３、２０６、２０８〜２１１に対し、この調整値が複製される。これにより、ディスプレイ装置２０１〜２０３、２０６、２０８〜２１１の各々において、ディスプレイ装置２０７の画面表示の調整と同様の画面表示の調整が行われる。また、操作グループＢにおいて、ディスプレイ装置２１２に対して画面表示の調整値を設定することにより、ディスプレイ装置２０４、２０５に対し、この調整値が複製される。
【００４７】
これにより、ディスプレイ装置２０４及び２０５の各々において、ディスプレイ装置２１２の画面表示の調整と同様の調整が行われる。操作グループＣにおいて、ディスプレイ装置２１４に対して画面表示の調整値を設定することにより、ディスプレイ装置２１３、２１５及び２１６に対し、この調整値が複製される。これにより、ディスプレイ装置２１３、２１５及び２１６の各々において、ディスプレイ装置２１４の画面表示の調整と同様に画面表示の調整が行われる。
【００４８】
なお、本発明における図２のディスプレイ装置２０１から２０９の各々の機能を実現するためのプログラムをコンピュータ読み取り可能な記録媒体に記録して、この記録媒体に記録されたプログラムをコンピュータシステムに読み込ませ、実行することにより操作グループ構成に応じた操作グループ単位の画面表示を調整するための調整値の設定を行う処理の制御を行ってもよい。なお、ここでいう「コンピュータシステム」とは、ＯＳや周辺機器等のハードウェアを含むものとする。
【００４９】
また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５１】
１…マルチディスプレイシステム
１０１，１０２…通信端子
１０３…通信処理部
１０４…制御部
１０５…保存部
１０６…表示部
２０１，２０２，２０３，２０４，２０５，２０６，２０７，２０８，２０９，２１０，２１１，２１２，２１３，２１４，２１５，２１６…ディスプレイ装置
２０１Ｓ…表示画面
２２１，２２２，２２３，２２４，２２５，２２６，２２７，２２８…ＬＡＮケーブル
３０１，３０２，３０３，３０４，３０５，３０６…操作グループ構成
Ａ，Ｂ，Ｃ，Ｄ，Ｅ，Ｆ，Ｇ，Ｈ，Ｉ…操作グループ
【図１】
2018194625.tif 000003
【図２】
2018194625.tif 000004
【図３】
2018194625.tif 000005
【図４】
2018194625.tif 000006
【図５】
2018194625.tif 000007
【図６】
2018194625.tif 000008
【図７】
2018194625.tif 000009
【図８】
2018194625.tif 000010
【図９】
2018194625.tif 000011
【図１０】
2018194625.tif 000012